【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
複数の像担持体の各々に異なる色の現像剤像を形成する複数の画像形成手段と、
前記像担持体の各々に形成される現像剤像を記録材又は中間転写体へ多重転写する転写手段と、
を備え、記録材又は中間転写体に複数色の現像剤像が重畳された現像剤像を形成する画像形成装置であって、
現像剤像が形成された記録材又は中間転写体に光を照射したときの反射光を検出する検出手段と、
前記検出手段による検出結果に基づき記録材又は中間転写体に形成された現像剤像の位置を検出する位置検出手段と、
記録材又は中間転写体に形成される現像剤像の、記録材又は中間転写体の進行方向の下流端に生じる画像濃度の増加に起因して生じる、前記位置検出手段により取得される位置と実際の位置との間の誤差を補正するための補正量に関する情報を予め現像剤の色毎に記憶する記憶手段と、
複数色の現像剤像が重畳された所定のパターンを記録材又は中間転写体に形成し、前記位置検出手段により検出される各色の現像剤像の位置と、前記記憶手段に記憶された補正量に関する情報と、に基づき、前記画像形成手段により前記像担持体に形成される現像剤像の位置を補正する補正手段と、
を備える画像形成装置。
【請求項２】
前記補正手段は、前記位置検出手段により検出される各色の現像剤像の位置に基づき、所定の基準色の現像剤像に対する他の色の現像剤像の位置のずれ量を算出し、算出したずれ量を前記補正量の情報を用いて補正し、補正したずれ量に基づいて前記画像形成手段により前記像担持体に形成される現像剤像の位置を補正する請求項１に記載の画像形成装置。
【請求項３】
前記補正手段は、前記位置検出手段により検出される各色の現像剤像の位置を前記補正量の情報を用いて補正し、補正した位置に基づき所定の基準色の現像剤像に対する他の色の現像剤像の位置のずれ量を算出し、算出したずれ量に基づいて前記画像形成手段により前記像担持体に形成される現像剤像の位置を補正する請求項１に記載の画像形成装置。
【請求項４】
前記補正手段は、前記位置検出手段により検出される位置と実際の位置とのずれを低減するように前記補正量の情報に基づいて前記画像形成手段が前記像担持体に形成する現像剤像の位置を補正した上で、前記パターンを記録材又は中間転写体に形成した場合に前記位置検出手段により検出される各色の現像剤の位置に基づき所定の基準色の現像剤像に対する他の色の現像剤像の位置のずれ量を算出し、算出したずれ量に基づいて前記画像形成手段により前記像担持体に形成される現像剤像の位置を補正する請求項１に記載の画像形成装置。
【請求項５】
画像形成装置の動作環境の温度及び湿度の少なくともいずれかを環境条件として検出する環境検出手段を更に備え、
前記記憶手段は、環境条件と前記補正量との対応関係の情報を更に記憶しており、
前記補正手段は、前記パターンを記録材又は中間転写体に形成する際の環境条件を前記環境検出手段により検出し、検出した環境条件に応じた前記補正量の情報に基づき前記画像形成手段により前記像担持体に形成される現像剤像の位置を補正する請求項１〜４のいずれか１項に記載の画像形成装置。
【請求項６】
前記記憶手段は、現像剤の色及び環境条件の値ごとに前記補正量の値を保持するテーブルとして、環境条件と前記補正量との対応関係の情報を記憶している、又は現像剤の色毎に定められた、環境条件に応じて前記補正量の値を算出するための演算式として、環境条件と前記補正量との対応関係の情報を記憶している請求項５に記載の画像形成装置。
【請求項７】
前記補正量は、温度が高くなるほど、又は、湿度が高くなるほど、大きくなる請求項５又は６に記載の画像形成装置。
【請求項８】
位置ずれを補正するための補正用画像を形成する画像形成手段と、
前記画像形成手段によって形成された前記補正用画像が転写される像担持体と、
前記像担持体に光を照射し、反射光を検出する光検出手段と、
画像形成装置の温度及び湿度の少なくとも１つを環境条件として検出する環境検出手段と、
前記環境検出手段によって検出された環境条件に基づき、前記光検出手段による検出結果のうち前記補正用画像の端部に生じる画像濃度の増加に起因して生じる誤差を補正する補正手段と、
前記補正手段による補正結果に基づき、前記画像形成手段により画像を形成させる際の位置補正制御を行う制御手段と、を備えることを特徴とする画像形成装置。
【請求項９】
前記補正手段による補正結果に基づき、前記像担持体に形成された前記補正用画像の位置を算出する算出手段を備え、
前記制御手段は、前記算出手段による算出結果に基づき、前記画像形成手段により画像を形成させる際の位置補正制御を行うことを特徴とする請求項８に記載の画像形成装置。
【請求項１０】
前記光検出手段による検出結果に基づき、前記像担持体に形成された前記補正用画像の位置を算出する算出手段を備え、
前記補正手段は、前記算出手段による算出結果を、前記環境検出手段によって検出された環境条件に応じて補正し、
前記制御手段は、前記補正手段による補正結果に基づき、前記画像形成手段により画像を形成させる際の位置補正制御を行うことを特徴とする請求項８に記載の画像形成装置。
【請求項１１】
前記光検出手段による検出結果に基づき、前記像担持体に形成された前記補正用画像の位置を算出する算出手段と、
前記補正用画像の、前記像担持体の移動方向の下流端に生じる画像濃度の増加に起因し
て生じる、前記算出手段によって算出された位置と実際の位置との誤差を補正するための補正量に関する情報を記憶する記憶手段と、を備え、
前記補正手段は、前記算出手段による算出結果を、前記記憶手段に記憶された補正量に関する情報に応じて補正し、
前記制御手段は、前記補正手段による補正結果に基づき、前記画像形成手段により画像を形成させる際の位置補正制御を行うことを特徴とする請求項８に記載の画像形成装置。
【請求項１２】
前記補正用画像は、複数色の現像剤が重畳されて形成されることを特徴とする請求項８〜１１のいずれか１項に記載の画像形成装置。
【請求項１３】
前記算出手段は、前記光検出手段によって検出される前記複数色の現像剤像の検出結果に基づき、前記像担持体に形成された前記複数色の現像剤像の各色の位置を算出し、所定の基準色の現像剤像の位置に対する他の色の現像剤像の位置のずれ量を算出し、
前記補正手段は、前記算出手段による算出結果を、前記環境検出手段によって検出された環境条件に応じて補正し、
前記制御手段は、前記補正手段による補正結果に基づき、前記画像形成手段により画像を形成させる際の位置補正制御を行うことを特徴とする請求項１２に記載の画像形成装置。
【請求項１４】
前記補正手段は、前記光検出手段によって検出される前記複数色の現像剤像の検出結果を、前記環境検出手段によって検出された環境条件に応じて補正し、
前記算出手段は、前記補正手段による補正結果に基づき、前記像担持体に形成された前記複数色の現像剤像の各色の位置を算出し、所定の基準色の現像剤像の位置に対する他の色の現像剤像の位置のずれ量を算出し、
前記制御手段は、前記算出手段による算出結果に基づき、前記画像形成手段により画像を形成させる際の位置補正制御を行うことを特徴とする請求項１２に記載の画像形成装置。
【請求項１５】
位置ずれを補正するための補正用画像を形成する画像形成手段と、
前記画像形成手段によって形成された前記補正用画像が転写される像担持体と、
前記像担持体に光を照射し、反射光を検出する光検出手段と、
前記光検出手段による検出結果と、前記補正用画像の端部に生じる画像濃度の増加に起因して生じる誤差を補正するための補正情報と、に基づき、前記画像形成手段により画像を形成させる際の位置補正制御を行う制御手段と、を備えることを特徴とする画像形成装置。
【手続補正２】
【補正対象書類名】明細書
【補正対象項目名】００１５
【補正方法】変更
【補正の内容】
【００１５】
本発明は、複数の像担持体の各々に異なる色の現像剤像を形成する複数の画像形成手段と、
前記像担持体の各々に形成される現像剤像を記録材又は中間転写体へ多重転写する転写手段と、
を備え、記録材又は中間転写体に複数色の現像剤像が重畳された現像剤像を形成する画像形成装置であって、
現像剤像が形成された記録材又は中間転写体に光を照射したときの反射光を検出する検
出手段と、
前記検出手段による検出結果に基づき記録材又は中間転写体に形成された現像剤像の位置を検出する位置検出手段と、
記録材又は中間転写体に形成される現像剤像の、記録材又は中間転写体の進行方向の下流端に生じる画像濃度の増加に起因して生じる、前記位置検出手段により取得される位置と実際の位置との間の誤差を補正するための補正量に関する情報を予め現像剤の色毎に記憶する記憶手段と、
複数色の現像剤像が重畳された所定のパターンを記録材又は中間転写体に形成し、前記位置検出手段により検出される各色の現像剤像の位置と、前記記憶手段に記憶された補正量に関する情報と、に基づき、前記画像形成手段により前記像担持体に形成される現像剤像の位置を補正する補正手段と、
を備える画像形成装置である。
本発明は、位置ずれを補正するための補正用画像を形成する画像形成手段と、
前記画像形成手段によって形成された前記補正用画像が転写される像担持体と、
前記像担持体に光を照射し、反射光を検出する光検出手段と、
画像形成装置の温度及び湿度の少なくとも１つを環境条件として検出する環境検出手段と、
前記環境検出手段によって検出された環境条件に基づき、前記光検出手段による検出結果のうち前記補正用画像の端部に生じる画像濃度の増加に起因して生じる誤差を補正する補正手段と、
前記補正手段による補正結果に基づき、前記画像形成手段により画像を形成させる際の位置補正制御を行う制御手段と、を備えることを特徴とする画像形成装置である。
本発明は、位置ずれを補正するための補正用画像を形成する画像形成手段と、
前記画像形成手段によって形成された前記補正用画像が転写される像担持体と、
前記像担持体に光を照射し、反射光を検出する光検出手段と、
前記光検出手段による検出結果と、前記補正用画像の端部に生じる画像濃度の増加に起因して生じる誤差を補正するための補正情報と、に基づき、前記画像形成手段により画像を形成させる際の位置補正制御を行う制御手段と、を備えることを特徴とする画像形成装置である。